(57)【要約】【課題】簡単な設備および工程により箸素地の表面に塗料をムラなく分厚く層着させて重厚な塗装装飾を施すことができ、かつ、均一の製品を作ることができる非常に合理的な塗り箸の化粧方法を提供すること。【解決手段】リリース板Ａの表面に接着性合成樹脂を主材とした塗料Ｐを所要の幅長に一様に塗布して未硬化の飾り塗膜２０を剥離可能に形成する一方、この未硬化の飾り塗膜２０上に、箸形状に成形した箸素地１の化粧対象部位を当接させて転がすことにより前記リリース板Ａから箸素地１の化粧対象部位表面に前記飾り塗膜２０を転着させて巻き取り、巻き取った当該飾り塗膜２０を硬化せしめることにより当該箸素地１に重厚な装飾層１１を形成するという技術的手段を採用した。【選択図】  図１
2004322012.tif 000002
【特許請求の範囲】
【請求項１】
リリース板Ａの表面に接着性合成樹脂を主材とした塗料Ｐを所要の幅長に一様に塗布して未硬化の飾り塗膜２０を剥離可能に形成する一方、
この未硬化の飾り塗膜２０上に、箸形状に成形した箸素地１の化粧対象部位を当接させて転がすことにより前記リリース板Ａから箸素地１の化粧対象部位表面に前記飾り塗膜２０を転着させて巻き取り、巻き取った当該飾り塗膜２０を硬化せしめることにより当該箸素地１に重厚な装飾層２を形成する工程を含むことを特徴とする塗り箸化粧方法。
【請求項２】
装飾層２の表面に絵柄装飾２１を施す一方、この絵柄装飾２１を透明樹脂で被覆して保護層３を形成することを特徴とする請求項１記載の塗り箸化粧方法。
【請求項３】
装飾層２に刻み加工して装飾彫り２２を形成することを特徴とする請求項１または２記載の塗り箸化粧方法。
【請求項４】
透明の接着性合成樹脂に、金銀などの光輝金属粉体やプラスチック粉体、顔料、天然葉、米粒、貝殻などの装飾材料を混入して調製された塗料Ｐを用いて飾り塗膜２０を形成することを特徴とする請求項１〜３の何れか一つに記載の塗り箸化粧方法。
【請求項５】
箸素地１の少なくとも化粧対象部位表面に下塗剤を塗布し、その表面上に飾り塗膜２０を巻き取ることによって、飾り塗膜２０の接着性を向上せしめることを特徴とする請求項１〜４の何れか一つに記載の塗り箸化粧方法。
【請求項６】
箸素地１の化粧対象部位に巻き取った飾り塗膜２０を硬化させるにあたり、
当該箸素地１の基端部１１を支持板Ｊの上面に開設された差込孔に略垂直に立設する一方、当該支持板Ｊを天地交互に反転させることにより、飾り塗膜２０の垂れを防ぎながら当該飾り塗膜２０を乾燥硬化せしめて装飾層２を形成することを特徴とする請求項１〜５の何れか一つに記載の塗り箸化粧方法。
【請求項７】
箸素地１の基端部１１を切断し、この切断面に塗料Ｐを被着硬化せしめることにより、装飾天部２３を形成することを特徴とする請求項１〜６の何れか一つに記載の塗り箸化粧方法。
【請求項８】
木や竹などの天然素材を切削して箸素地１を作製することを特徴とする請求項１〜７の何れか一つに記載の塗り箸化粧方法。
【請求項９】
箸素地１の化粧対象部位に通孔Ｔを開設しておき、この通孔Ｔに透明樹脂を充填し、同孔を被覆するように透明の飾り塗膜２０を巻き取ることにより、通孔Ｔ部分の透明樹脂を透して箸素地１の向こう側を見ることができる装飾層２を形成することを特徴とする請求項１〜８の何れか一つに記載の塗り箸化粧方法。
【請求項１０】
塗料Ｐに高比重の物質を混合して箸素地１の基端部１１側に装飾層２を形成することを特徴とする請求項１〜９の何れか一つに記載の塗り箸化粧方法。
【請求項１１】
滑り止め物質を塗料Ｐに混入して装飾層２を形成したり、表面に滑り止めコーティングするなどしてグリップ性を付与することを特徴とする請求項１〜１０の何れか一つに記載の塗り箸化粧方法。
【発明の詳細な説明】
【０００１】
【発明の属する技術分野】
本発明は、塗り箸の装飾方法の改良、さらに詳しくは、箸素地の表面に塗料をムラなく分厚く層着させて重厚な塗装装飾を施すことができる新規な塗り箸化粧方法に関するものである。
【０００２】
【従来の技術】
周知のとおり、箸に漆などの塗料を塗布して作製される「塗り箸」は、我が国の伝統的工芸品であり、今日でも貴重な手工業産業として現存しており、実用的なものから工芸小物に至るまで手作業で丹念に生産されている。
【０００３】
塗り箸は、箸素地の表面に塗料を塗布して作製するものが極一般的である（例えば、特許文献１参照。）。しかしながら、かかる方法で、箸素地の表面に分厚く重厚感のある装飾層を形成しようとすると、繰り返し塗料を塗り付ける必要があり、ムラが生じて表面に凹凸が形成され易く、均一の製品を作るには高度の技巧が必要とされる。
【０００４】
【特許文献１】
特開昭６３−３８１７号公報（第１−２頁、第１−６図）
【０００５】
【発明が解決しようとする課題】
本発明は、従来の塗り箸の装飾手法に上記の如き問題点があったことに鑑みて為されたものであって、その目的とするところは、簡単な設備および工程により箸素地の表面に塗料をムラなく分厚く層着させて重厚な塗装装飾を施すことができ、かつ、均一の製品を作ることができる非常に合理的な塗り箸の化粧方法を提供することにある。
【０００６】
【課題を解決するための手段】
本発明者が上記課題を解決するために採用した手段を、添付図面を参照して説明すれば、次のとおりである。
【０００７】
即ち、本発明は、リリース板Ａの表面に接着性合成樹脂を主材とした塗料Ｐを所要の幅長に一様に塗布して未硬化の飾り塗膜２０を剥離可能に形成する一方、
この未硬化の飾り塗膜２０上に、箸形状に成形した箸素地１の化粧対象部位を当接させて転がすことにより前記リリース板Ａから箸素地１の化粧対象部位表面に前記飾り塗膜２０を転着させて巻き取り、巻き取った当該飾り塗膜２０を硬化せしめることにより当該箸素地１に重厚な装飾層２を形成するという技術的手段を採用した。
【０００８】
また、本発明は、上記課題を解決するために、必要に応じて上記手段に加え、装飾層２の表面に絵柄装飾２１を施す一方、この絵柄装飾２１を透明樹脂で被覆して保護層３を形成するという技術的手段を採用した。
【０００９】
更にまた、本発明は、上記課題を解決するために、必要に応じて上記手段に加え、装飾層２に刻み加工して装飾彫り２２を形成するという技術的手段を採用し
た。
【００１０】
更にまた、本発明は、上記課題を解決するために、必要に応じて上記手段に加え、透明の接着性合成樹脂に、金銀などの光輝金属粉体やプラスチック粉体、顔料、天然葉、米粒、貝殻などの装飾材料を混入して調製された塗料Ｐを用いて飾り塗膜２０を形成するという技術的手段を採用した。
【００１１】
更にまた、本発明は、上記課題を解決するために、必要に応じて上記手段に加え、箸素地１の少なくとも化粧対象部位表面に下塗剤を塗布し、その表面上に飾り塗膜２０を巻き取ることによって、飾り塗膜２０の接着性を向上せしめるという技術的手段を採用した。
【００１２】
更にまた、本発明は、上記課題を解決するために、必要に応じて上記手段に加え、箸素地１の化粧対象部位に巻き取った飾り塗膜２０を硬化させるにあたり、
当該箸素地１の基端部１１を支持板Ｊの上面に開設された差込孔に略垂直に立設する一方、当該支持板Ｊを天地交互に反転させることにより、飾り塗膜２０の垂れを防ぎながら当該飾り塗膜２０を乾燥硬化せしめて装飾層２を形成するという技術的手段を採用した。
【００１３】
更にまた、本発明は、上記課題を解決するために、必要に応じて上記手段に加え、箸素地１の基端部１１を切断し、この切断面に塗料Ｐを被着硬化せしめるという技術的手段を採用した。
【００１４】
更にまた、本発明は、上記課題を解決するために、必要に応じて上記手段に加え、木や竹などの天然素材を切削して箸素地１を作製するという技術的手段を採用した。
【００１５】
更にまた、本発明は、上記課題を解決するために、必要に応じて上記手段に加え、箸素地１の化粧対象部位に通孔Ｔを開設しておき、この通孔Ｔに透明樹脂を充填し、同孔を被覆するように透明の飾り塗膜２０を巻き取ることにより、通孔Ｔ部分の透明樹脂を透して箸素地１の向こう側を見ることができる装飾層２を形成するという技術的手段を採用した。
【００１６】
更にまた、本発明は、上記課題を解決するために、必要に応じて上記手段に加え、塗料Ｐに高比重の物質を混合して箸素地１の基端部１１側に装飾層２を形成するという技術的手段を採用した。
【００１７】
更にまた、本発明は、上記課題を解決するために、必要に応じて上記手段に加え、滑り止め物質を塗料Ｐに混入して装飾層２を形成したり、表面に滑り止めコーティングするなどしてグリップ性を付与するという技術的手段を採用した。
【００１８】
【発明の実施の形態】
本発明の実施形態を具体的に図示した図面に基いて更に詳細に説明すると、次のとおりである。
【００１９】
「第１実施形態」
本発明の第１実施形態を図１〜図４に基いて説明する。図中、符号１で指示するものは箸素地１であり、本実施形態では、木や竹などの天然素材（赤味マラスなど）を用いて作製したものを採用する。
【００２０】
しかして、本実施形態の塗り箸化粧方法を以下に説明する。まず、図１に示すように、リリース板Ａを張り伸ばして張架具Ｇに固定し、このリリース板Ａの上面に未硬化の塗料Ｐを所要の幅長に一様に塗布して飾り塗膜２０を形成する。この際、ローラー塗りするとリリース板Ａの上面に塗料Ｐを一様に塗布し易い。
【００２１】
また、リリース板Ａは、プラスチックフィルムの表面にシリコン樹脂で剥離処理を施したナイロン製の剥離ライナーを採用しており、飾り塗膜２０を容易に剥離できるようにすることができる。
【００２２】
また、本実施形態における塗料Ｐは、エポキシ樹脂にポリアミドなどの硬化剤を約１００：８０で混入して粘度を調整したものを用いる。この際、アクリル樹脂、ポリスチレン樹脂、ポリウレタン樹脂、メラミン樹脂などの合成樹脂に硬化剤を混入したものであっても良い。
【００２３】
そして、前記飾り塗膜２０上に、箸素地１の化粧対象部位を水平に接触させて、当該箸素地１をリリース板Ａの長手方向に沿って転がしてゆく。すると、リリース板Ａから飾り塗膜２０が剥離して箸基材１の化粧対象部位表面に転着し、巻き取ることができる。
【００２４】
この際、箸素地１の表面全体に、予め、下塗剤を塗布しておくことにより、飾り塗膜２０の接着性を向上させることができる。この下塗剤は、通常、エポキシ樹脂のみを使用するが、本実施形態では、ポリウレタン樹脂と混合することによってより優れた接着効果を得ることができる。
【００２５】
次に、図２に示す如く、箸素地１の基端部１１を、支持具Ｊの上面に開設した差込孔に立設する。そして、飾り塗膜２０の垂れ具合に応じて前記支持具Ｊを天地交互に反転させながら、飾り塗膜２０を乾燥硬化せしめる。
【００２６】
前記飾り塗膜２０の接着直後からの垂れ具合を均等化するための反転時間を以下に示す。
2004322012.tif 000003
【００２７】
本実施形態では、上記のように垂れが終息した後、約８時間自然乾燥させ、乾燥温度を調整しながら約４時間、７０℃で強制乾燥することにより飾り塗膜２０の発泡を防止する。しかして、当該飾り塗膜２０が硬化すると箸素地１の周面に重厚な装飾層２を形成することができる（図３参照）。
【００２８】
また、本実施形態では、装飾層２を形成した後、この装飾層２の表面に、スクリーン印刷やグラビア印刷などを施すことにより、絵柄装飾２１を施すことができる。さらに、こうして絵柄装飾２１を施した装飾層２の表面を透明樹脂（例えば、エポキシ樹脂）で被覆して保護層３を形成することもできる（図４参照）。
【００２９】
したがって、本実施形態では、箸素地１の表面の接着性能の方が、飾り塗膜２０とリリース板Ａとの接合力よりも強いことを巧みに利用したことによって、箸素地１を転がして当該表面に飾り塗膜２０を転着させて巻き取ることができるのである。
【００３０】
また、一旦、リリース板Ａ上に一様な幅長の飾り塗膜２０を形成することによって、直接、箸素地１表面に塗料Ｐを塗布する場合のような塗りムラを防止し、かつ、必要な厚みのある装飾層２を形成して外観的な重厚感を表現可能にした。
【００３１】
「第２実施形態」
次に、本発明の第２実施形態を図５に基いて説明する。本実施形態では、透明の接着性合成樹脂（本実施形態では、エポキシ樹脂にポリアミド硬化剤を混入したもの）に装飾材料を混入して塗料Ｐを調製し、こうして調製された未硬化の塗料Ｐをリリース板Ａの上面に所要の幅長に均一厚に塗布して飾り塗膜２０を形成する。
【００３２】
そして、第１実施形態と同様に、この飾り塗膜２０を、リリース板Ａから箸素地１の化粧対象部位表面に転着させて巻き取り、飾り塗膜２０を乾燥硬化せしめることにより、装飾層２を形成する。
【００３３】
ちなみに、本実施形態の装飾材料には金粉を使用し、透明な装飾層２を通して金粉が表面上に現われることによって立体的な模様を構成することができる。また、装飾材料としては、プラスチック粉体や顔料、天然葉、米粒、貝殻などを採用することもできる。
【００３４】
「第３実施形態」
本発明の第３実施形態を図６に基いて説明する。本実施形態では、予め箸素地１の化粧対象部位に通孔Ｔを開設しておき、この通孔Ｔに透明樹脂（例えば、アクリル樹脂）を充填する。
【００３５】
そして、前記実施形態同様にして、同孔を被覆するように透明の飾り塗膜２０を巻き取ることにより、通孔Ｔ部分の透明樹脂を透して箸素地１の向こう側を見ることができる装飾層２を形成することができる。
【００３６】
なお、上記第１〜３実施形態においては、図７に示すように、箸素地１の基端部１１を切断し、この切断面に塗料Ｐを塗布して乾燥硬化させることにより、装飾天部２３を形成することも可能である。
【００３７】
また、装飾層２の表面に刻み加工して装飾彫り２２を形成することもできるし、然る後、箸素地１全体に漆などの塗料を塗布して仕上げ塗装をすることも可能である。
【００３８】
本明細書と図面に具体的に示される実施形態は概ね上記の通りであるが、本発明の技術的範囲は上記実施形態に限定されるものでは決してなく、「特許請求の範囲」の記載内において数々の設計変更が可能である。
【００３９】
例えば、箸素地１の化粧対象部位は１箇所に限らず、複数箇所設けても良く、リリース板Ａ上の飾り塗膜を箸素地１の表面に巻き取った後、箸素地１のリリース板Ａに当接させる位置を変えて飾り塗膜２０を巻き取ることができる。
【００４０】
また、図８に示すように、複数の装飾層２・２を形成した後、これらを統合して透明樹脂を付着させて保護層３を被覆してもよい。更にまた、必要に応じて、予め化粧対象部位とする周面を切削加工して細く形成しておくことにより、後に形成する装飾層２の厚さを調整して持ち易くすることもできる。
【００４１】
更にまた、塗料Ｐに高比重の物質を混合して箸素地１の基端部１１側に装飾層２を形成することにより、重心が移動して持ち易く、使い勝手を良くすることができる。更にまた、滑り止め物質を塗料Ｐに混入して装飾層２を形成したり、表面に滑り止めコーティングするなどしてグリップ性を付与することも可能であり、何れのものも本発明の技術的範囲に属する。
【００４２】
【発明の効果】
以上、実施形態を挙げて説明したとおり、本発明の塗り箸化粧方法によると、箸素地表面の接着性能の方が、飾り塗膜とリリース板との接合力よりも強いことを巧みに利用したことによって、箸素地を転がして当該表面に飾り塗膜を転着させて巻き取ることができるとともに、一旦、リリース板上に一様な幅長の飾り塗膜を形成することによって、直接、箸素地表面に塗料を塗布する場合のような塗りムラを防止し、かつ、必要な厚みのある装飾層を形成して外観的な重厚感を表現可能である。
【００４３】
このように、簡単な工程でありながら、箸素地の表面に塗料をムラなく分厚く層着させて重厚な塗装装飾を施すことができ、かつ、均一の製品を作ることができることから、非常に合理的であって量産にも適しており、塗り箸装飾技術における実用的利用価値は頗る高い。
【図面の簡単な説明】
【図１】本発明の第１実施形態の製造工程を表わす斜視図である。
【図２】本発明の第１実施形態の製造工程を表わす斜視図である。
【図３】本発明の第１実施形態品を表わす斜視図である。
【図４】本発明の第１実施形態品を表わす斜視図である。
【図５】本発明の第２実施形態品を表わす斜視図である。
【図６】本発明の第３実施形態品を表わす斜視図である。
【図７】本発明の実施形態品の変形例を表わす斜視図である。
【図８】本発明の実施形態品の変形例を表わす斜視図である。
【符号の説明】
１    箸素地
１１  基端部
２    装飾層
２０  飾り塗膜
２１  絵柄装飾
２２  装飾彫り
２３  装飾天部
３    保護層
Ａ    リリース板
Ｐ    塗料
Ｇ    張架具
Ｊ    支持板
Ｔ    通孔
【図１】
2004322012.tif 000004
【図２】
2004322012.tif 000005
【図３】
2004322012.tif 000006
【図４】
2004322012.tif 000007
【図５】
2004322012.tif 000008
【図６】
2004322012.tif 000009
【図７】
2004322012.tif 000010
【図８】
2004322012.tif 000011